(57)【要約】【課題】シートを容易に着脱可能であって、当該シート同士を連結可能な連結具を提供する。【解決手段】本願の連結具１０は、一端に折り曲げ部６を有するシート５の前記折り曲げ部６を受け入れる係合部１５を少なくとも一端に有する。【選択図】図２
0003130305.tif 000002
【実用新案登録請求の範囲】
【請求項１】
一端に折り曲げ部を有するシートの前記折り曲げ部を受け入れる係合部を少なくとも一端に有することを特徴とする連結具。
【請求項２】
帯状の本体と、
前記本体の一対の長辺端部の少なくとも一方に有する係合部と、を含んで構成され、
前記係合部は、
一端に折り曲げ部を有するカレンダー用シートの前記折り曲げ部を受け入れることを特徴とする連結具。
【請求項３】
前記長さ方向の横断面において、
前記係合部は、
任意の基準に対して点対称に設けられていることを特徴とする請求項１、又は２に記載の連結具。
【請求項４】
一端に折り曲げ部を有する板状の吊下用部材を更に具備し、
前記折り曲げ部が前記係合部と係合することを特徴とする請求項１乃至３のいずれか一項に記載の連結具。
【請求項５】
前記複数の連結具をその長手方向に並べて連結する補助部材を更に具備し、
前記補助部材によって隣接する前記連結具の端部外周が挟持されることにより前記隣接する連結具が保持されることを特徴とする請求項１乃至３のいずれか一項に記載の連結具。
【考案の詳細な説明】
【技術分野】
【０００１】
本願は、壁掛用の吊下げ式カレンダーに関し、特に、複数のカレンダー用シートを並べて表示する際の当該カレンダー用シートの連結具に関する。
【背景技術】
【０００２】
従来の壁掛用のカレンダーには、日めくり、週めくり、月めくり、２ヶ月めくり、３ヶ月めくりなどのカレンダーが知られている。これらのカレンダーは、いずれも記載された日が現時点の日付をすぎた時に、めくるなどして次ぎの日付が記載されたシートを表示するようになっている。
【０００３】
例えば、３ヶ月カレンダーとして、１月分を表示するシートを上中下の３段を並べて３月分の日付を表示し、その裏に次の３月分を表示するシートが重ねて設けられているようなカレンダーが知られている。
【０００４】
これは、一番表側のシートが下から順に若い月の暦が表示され、１月変わるごとに下から順に切り取っていく方式をとっている。シートを切り取ることにより、３月後の暦が表示されるようになっている。
【考案の開示】
【考案が解決しようとする課題】
【０００５】
このようなカレンダーは、上から順序良く暦が並ばないので見にくく、且つ、せっかくメモ書きなどしたシートも月が変われば捨てなくてはならないという問題点がある。
【０００６】
このような問題点を解消するためには、１月ごとに表示された複数のシートを容易に着脱可能であって、且つ、当該暦の異なるシートを自由に並べて表示可能にするために暦の異なるシート同士を連結可能な連結具が必要となる。
【０００７】
そこで、このような課題の一例を解消するために、本願は、シートを容易に着脱可能であって、当該シート同士を連結可能な連結具を提供することを目的とする。
【課題を解決するための手段】
【０００８】
上述した課題を解決するため、本願請求項１に記載の連結具（１０）は、一端に折り曲げ部（６）を有するシート（５）の前記折り曲げ部を受け入れる係合部（１５）を少なくとも一端に有することを特徴とする。
【０００９】
また請求項２に記載の連結具は、帯状の本体（１１）と、前記本体の一対の長辺端部の少なくとも一方に有する係合部（１５）と、を含んで構成され、前記係合部には、一端に折り曲げ部（６）を有するカレンダー用シート（５）の前記折り曲げ部を受け入れることを特徴とする。
【００１０】
また、請求項３に記載の連結具は、請求項１、又は２に記載の連結具において、前記長さ方向の横断面において、前記係合部は、任意の基準に対して点対称に設けられていることを特徴とする。
【００１１】
また、請求項４に記載の連結具は、請求項１乃至３のいずれか一項に記載の連結具において、一端に折り曲げ部（２０ａ）を有する板状の吊下用部材（２０）を更に具備し、前記折り曲げ部が前記係合部と係合することを特徴とする。
【００１２】
また、請求項５に記載の連結具は、請求項１乃至３のいずれか一項に記載の連結具において、前記複数の連結具をその長手方向に並べて連結する補助部材（３０）を更に具備し、前記補助部材によって隣接する前記連結具の外周が挟持されることにより前記隣接する連結具が保持されることを特徴とする。
【考案を実施するための最良の形態】
【００１３】
以下、本願を実施するための最良の形態について、図面を用いて説明する。以下に説明する実施の形態は、壁などに吊下げ、１月分の暦が記載されたシートを縦に３枚並べて表示する、いわゆる、３ヶ月表示用カレンダーに本願を適用したものである。
【００１４】
なお、本願は、シートを縦に２枚並べることによって２月表示用のカレンダーとすることも可能であり、また、シートを縦に１２枚並べることによって１年表示用のカレンダーとすることも可能となっている。
【００１５】
また、以下の説明において、便宜上、図１の正面及び背面方向をカレンダーの前後方向、上下方向をカレンダーの上下方向として説明する。
【００１６】
図１は本願の連結具を用いた縦並び用の３ヶ月表示用カレンダーの全体図、図２は本願の連結具の構造を示す斜視図、図３は図１のＡ−Ａ断面図、図４はシート各々に表示される暦の表示例を示す図である。
【００１７】
図１に示すように、カレンダー２は、１月分の暦が記載されたシート５が連結具１０によって連結され、全体として３枚のシート５、５、５が縦に連続して並んで表示されるようになっている。
【００１８】
本実施形態で用いられるシート５は、図４（ａ）〜（ｆ）に示すように、表裏に異なる月の暦が表示され、全部で６枚のシート５で構成されている。カレンダー上段には、図４（ａ）に示す１月と４月が表裏に表示されたシート５ａと図４（ｄ）に示す７月と１０月が表裏に表示されたシート５ｄが配置される。カレンダー中段には、図４（ｂ）に示す２月と５月が表裏に表示されたシート５ｂと図４（ｅ）に示す８月と１１月が表裏に表示されたシート５ｅが配置される。カレンダー下段には、図４（ｃ）に示す３月と６月が表裏に表示されたシート５ｃと図４（ｆ）に示す９月と１２月が表裏に表示されたシート５ｆが配置される。
【００１９】
このように各段に配置されたシート５は、裏返すことにより異なる月の暦を表示することができるようになっている。また月が変わった場合には、各シート５ａ〜５ｆを入れ替えたり、シート５を裏返すことによってカレンダー２の表側の各段に必要なシート５ａ〜５ｆが表示されるように配置すれば良い。
【００２０】
このようにして構成されたカレンダーは、各シート５ａ〜５ｆを容易に着脱して移動可能であるため、１年を通して上から順序良く暦を表示することが可能であるとともに、時期が過ぎたシートをカレンダーの表示用として用いられているシートの裏側に容易に保持しておくことも可能となっている。
【００２１】
次に本願の連結具について説明する。
【００２２】
連結具１０は、図２に示すように、例えば、射出成形により形成される樹脂製の本体１１を有して構成されている。当該本体は、略帯状に形成され、シート５の上下端部の表裏を挟むように一対の支持体１１ａ、１１ｂを含んで構成されている。当該支持体１１ａ、１１ｂは、中央で連結されて本体１１が形成されている。
【００２３】
また、本体１１の上下方向端部には係合部１５が一体的に形成されている。また、係合部１５は、図２に示すように、上下両端部に折り曲げ部６（６ａ、６ｂ）を有するシート５の折り曲げ部６ａ、６ｂを本体１１の長手方向に沿って挿入することによって受け入れるようになっている。
【００２４】
また、支持体１１ａ、１１ｂを連結する連結部材は、シート５の折り曲げ部６が挿入される部分に隙間が空くように、一対の支持体１１ａ、１１ｂに対して斜めに取り付けられている。このように連結部材を取り付けることによって、係合部１５に複数のシート５を重ねて挿入しやすくなる。また、係合部１５に複数のシート５を重ねて挿入しても、当該シート５の折り曲げ部６が嵩張ることによりシート５全体が丸みをおびた状態とならずに、真っ直ぐ延びた状態できれいに取り付けられ見栄えが良い。
【００２５】
また、係合部１５は、図２及び図３に示すように、好適には、任意の基準点Ｘに対して点対称に設けられている。そして、シート５の上端部は、連結具１０の下部に形成されている係合部１５ｂに受け入れられ、シート５の下端部は、連結具１０の上部に形成されている係合部１５ａに受け入れられる。これにより、シート５は、上下端部がそれぞれ逆方向に折り返されることとなる。
【００２６】
また、当該連結具１０の本体１１の上下に形成されている係合部１５は、一方の支持体１１ａ若しくは１１ｂの上下に設けられるようにしてもよいが、その場合には、複数のシート５を当該係合部１５に係合させたときに、複数のシート５がその端部で嵩張り、シート５が全体として丸みをおびた状態となり見栄えが悪くなる。しかしながら、本実施形態のように、シート５の上端部がそれぞれ逆方向に折り返された状態で連結具１０に連結されることにより、シート５が複数であっても、シート５を連結具１０に取り付けた状態において、複数のシート５がきれいに保持され見栄えが良い。
【００２７】
また、当該連結具１０は、複数用いることによって、図１に示すように、月ごとに表示されたシート５を順序良く並べて表示可能なカレンダー２を提供することができるとともに、当該カレンダー２に用いられる連結具１０によって１年分の暦を容易に保持可能となっている。
【００２８】
また、図１、及び図３に示すように、カレンダー２上段のシート５の上端部に配置される連結具１０の上側の係合部１５ａには、一端が折り曲げられた板状の支持体２０の折り曲げ部２０ａが受け入れられるようになっている。この折り曲げ部２０ａを本体１０の長手方向に沿って挿入することにより、当該支持体２０が連結具１０に取り付けられるようになっている。なお、この支持体２０は、例えば、金属、又は樹脂製で形成されている。
【００２９】
また、図３に示すように、支持体２０の本体は、連結具１０にシート５を取り付けてカレンダー２として壁Ｗに吊下げる際に、当該壁Ｗに沿ってほぼ平行に連結具１０及びシート５が配置されるように、曲折して形成されている。
【００３０】
当該支持体２０は、カレンダー２を部屋の壁Ｗなどに吊下げるための吊下げ用部材として機能し、連結具１０の本体１１の中央近傍に配置される。また、支持体２０の上端部には、貫通孔２０ｂが形成されており、当該貫通孔２０ｂを介して壁Ｗなどにピンや画鋲などの固定具によって取り付け可能になっている。
【００３１】
次に、連結具を用いたカレンダーの他の実施形態について図５乃至図７を用いて説明する。図５は本願の連結具を用いた横並び用の３ヶ月表示用カレンダーの全体図、図６は図５のＢ−Ｂ断面図、図７は吊下げ用部材の他の実施例を示し、図７（ａ）は図５のＣ−Ｃ断面図、図７（ｂ）は吊下げ用部材を連結具に取り付けた際の内部構造図である。なお、図５乃至図７において、図１乃至図４と共通する部分には同一符号を付し、それらの説明は省略する。
【００３２】
図１において説明した実施形態がシート５を縦に並べて表示した実施例であるのに対して、本実施形態は、シート５を横に並べて表示した実施例である。
【００３３】
図５に示すように、カレンダー２Ａは、複数の連結具１０、１０ａが補助部材３０によりその長手方向に並べられて連結され、１月分の暦が記載されたシート５がそれぞれの連結具１０、１０ａに保持され、全体として３枚のシート５が横に連続して並んで表示されるようになっている。
【００３４】
シート５を連結する連結具１０、１０ａは横に並べて配置され、当該隣接する連結具１０、１０ａは、図６に示すように、Ｕ字状の補助部材３０により当該隣接する連結具１０、１０ａの端部の外側を覆うように取り付けられて連結具１０、１０ａ同士が連結される。当該補助部材３０は、弾性を有する材料により一体形成されており、連結具１０、１０ａの表裏を挟持することによって保持するようになっている。なお、図示はしないが、補助部材３０の両端部に折り返し部を設けて当該折り返し部が連結具１０、１０ａの下端部に係合するようにすれば、しっかりと連結具１０、１０ａを保持することが可能となり尚良い。
【００３５】
また、図７に示すように、横に３つ並んで配置される連結具１０、１０ａの中央に配置される連結具１０ａの上端部には、例えば、金属、又は樹脂製の吊下げ用部材３５が配置される。
【００３６】
吊下げ用部材３５は、図７（ｂ）に示すように、逆Ｕ字状に形成され、その両端部が連結具１０ａの係合部１５と係合する突起３５ａを有して形成されている。
【００３７】
また、連結具１０ａの上端部に設けられている係合部１５ａの中央近傍は切込部３６が形成されており、当該切込部３６に対して前記吊下げ用部材３５の逆Ｕ字に形成されている部分が挿入されるととともに突起３５ａが前記係合部１５ａと係合することで、吊下げ用部材３５が連結具１０ａに取り付けられるようになっている。
【００３８】
なお、本実施形態は一形態であって、この形態に限定されるものではない。例えば連結具１０の外観断面形状は、円形状であっても構わない。その場合には、補助部材３０も当該連結具１０の断面形状にしたがって円形状に形成される。
【図面の簡単な説明】
【００３９】
【図１】本願の連結具を用いた縦並び用の３ヶ月表示用カレンダーの全体図である。
【図２】本願の連結具の構造を示す斜視図である。
【図３】図１のＡ−Ａ断面図である。
【図４】シート各々に表示される暦の表示例を示す図である。
【図５】本願の連結具を用いた横並び用の３ヶ月表示用カレンダーの全体図である。
【図６】図５のＢ−Ｂ断面図である。
【図７】吊下げ用部材の他の実施例を示し、図７（ａ）は図５のＣ−Ｃ断面図、図７（ｂ）は吊下げ用部材を連結具に取り付けた際の内部構造図である。
【符号の説明】
【００４０】
５  シート
６、２０ａ  折り曲げ部
１０  連結具
１１  本体
１５  係合部
２０  支持体
３０  補助部材
【図１】
0003130305.tif 000003
【図２】
0003130305.tif 000004
【図３】
0003130305.tif 000005
【図４】
0003130305.tif 000006
【図５】
0003130305.tif 000007
【図６】
0003130305.tif 000008
【図７】
0003130305.tif 000009